(57)【特許請求の範囲】
【請求項１】
膨張効果によってコンクリート部分のクラッキングを引き起こす化学的または機械的特性の取り壊し剤を受容するよう設計された基本容器が装着された少なくとも１つの切除要素（１０）を挿入するための手段、を備えたコンクリート部分の切除または取り壊しのための装置であって、
各切除要素（１０）の容器が、特にはプラスチック材料で製造された、閉鎖基部（１８、１１８）を有するわく鋳型（１２、１１２）と、前記基部と鋭角を形成する横方向ケーシング（２０、１２０）と、で形成されており、
前記わく鋳型の基部（１８、１１８）によって規定される破壊領域（２８）に沿ってのコンクリート部分の粉砕のための膨張力と、切除後のコンクリートブロックの小振幅の持上運動と、を発生するように、前記角度は２５度と６０度との間である
ことを特徴とする装置。
【請求項２】
ケーシング（２０、１２０）の頂部は、前記基部（１８、１１８）を破壊領域に挿入するための支持手段（１４）に固定されている
ことを特徴とする請求項１に記載のコンクリート部分の切除のための装置。
【請求項３】
切除要素（１０）の支持手段（１４）は、ケーシング（２０）の頂部に配置された管状接続口（２２）に結合された剛直な管（１６）を備えており、
前記管は、取り壊し剤をわく鋳型（１２）内に挿入するための入口路として作用する
ことを特徴とする請求項２に記載のコンクリート部分の切除のための装置。
【請求項４】
わく鋳型（１２）の基部（１８）は、先にキャストされた新しいコンクリートへの切除要素（１０）の貫通を容易にすべく、案内手段（３０）に結合されている
ことを特徴とする請求項１に記載のコンクリート部分の切除のための装置。
【請求項５】
各切除要素（１０）のわく鋳型（１２）の平坦基部（１８）は、水平に配置され、挿入方向に垂直に延びている
ことを特徴とする請求項１に記載のコンクリート部分の切除のための装置。
【請求項６】
各切除要素のわく鋳型（１２）の平坦基部（１８）は、挿入方向に対して、傾斜しているか、あるいは、わずかに凸状である
ことを特徴とする請求項１に記載のコンクリート部分の切除のための装置。
【請求項７】
各切除要素（１０）の挿入は、コンクリートキャスティング操作の前または後に、個別に、あるいは、位置決めフレーム（３２）によって群分けされて、実施され得て、
各切除要素（１０）の横方向ケーシング（２０、１２０）は、先細形状を有している
ことを特徴とする請求項１に記載のコンクリート部分の切除のための装置。
【請求項８】
位置決めフレーム（３２）は、コンクリートキャスティング操作の前に、切除要素（１０）のそれぞれの管（１６）の間で角度的に間隔を空けて配置されたスペーサ（３６）によって、突出補強バー（３４）に固定されており、当該補強バー（３４）に固定されたリング（３９）上に載っている
ことを特徴とする請求項７に記載のコンクリート部分の切除のための装置。
【請求項９】
スペーサ（３６）は、位置決めフレーム（３２）の内部に向かって半径方向に延びていて、コンクリートキャスティングパイプの軸方向の通過のための開口（３８）を規定している
ことを特徴とする請求項８に記載のコンクリート部分の切除のための装置。
【請求項１０】
わく鋳型（１１２）は、遅延作用の反応剤で充填されて、コンクリートがキャストされる前または後で、所定位置に載置される
ことを特徴とする請求項１に記載のコンクリート部分の切除のための装置。
【請求項１１】
各管（１６）は、固定クランプ（２０３）またはクリップ部（３０２）を備えた固定装置（２００、３００）によって、支持ジグ（２０２）上に組み付けられている
ことを特徴とする請求項３に記載のコンクリート部分の切除のための装置。
【発明の詳細な説明】
【０００１】
本発明は、膨張効果によってコンクリート部分のクラッキングを引き起こす化学的または機械的特性の反応剤を受容するよう設計された基本容器が装着された少なくとも１つの切除要素を挿入するための手段、を備えたコンクリート部分の切除（cut-off ）または取り壊し（demolition）のための装置に関している。
【０００２】
硬化されたコンクリートのかたまりに一連の流路を形成すべくコンクリートのキャスティング操作が実施される前に所定位置に載置される凹部手段（reentrant means ）を使用する切除装置が、すでに提案されている。反応剤は、その後、異なる容器と連通する流路内に挿入される。そのような凹部処理（reentrant process ）の実施は、複数の鉛直方向の剛直バーを有する取り外し可能なかご（cage）を使用する。膨張材の反応は、コンクリートのかたまりの破裂を引き起こす。これは、破裂されたコンクリートブロックが取り除かれることを要求する。
【０００３】
本発明の目的は、簡単な構造の切除または取り壊し装置であって、構造物の残り部分の機械的強度に影響することなく、コンクリート構造の一部の破壊領域が正確に規定されるように取り壊されることを可能にする装置を実現することである。
【０００４】
本発明による装置は、各切除要素の容器が、特にはプラスチック材料で製造された、平らな閉鎖基部を有するわく鋳型（flask ）と、前記基部と鋭角を形成する横方向ケーシングと、で形成されており、前記基部によって規定される破壊領域に沿ってのコンクリート部分の粉砕（fracturing）を引き起こすように設計された膨張力と、切除後のコンクリートブロックの小振幅の持上運動と、を発生するように前記角度は２５度と６０度との間である、ことを特徴とする。ケーシングの頂部は、前記基部を所望の取り壊しレベルに載置するための支持手段に固定されている。
【０００５】
好適な実施の形態によれば、支持手段は、ケーシングの頂部に配置された管状接続口に結合された剛直な管を備えている。前記管は、取り壊し剤をわく鋳型内に挿入するための入口路として作用する。
【０００６】
各切除要素の挿入は、コンクリートキャスティング操作の前または後に、個別に、あるいは、位置決めフレームの手段によって群分けされて、実施され得る。
【０００７】
本発明の１つの特徴によれば、位置決めフレームは、コンクリートキャスティング操作の前に、切除要素のそれぞれの管の間で角度的に間隔を空けて配置されたスペーサによって、突出補強バーに固定されている。スペーサは、有利には、位置決めフレームの内部に向かう半径方向に延びていて、コンクリートキャスティングパイプの軸方向の通過のための開口を規定している。
【０００８】
各切除要素のわく鋳型の平坦基部は、全体に水平に配置され、挿入方向に垂直に延びている。このことは、わく鋳型の全ての共平面基部を通過する平面に沿っての、コンクリートの水平粉砕という結果を導く。基部でのブロック切除は、その時、簡単に持ち上げられる必要があり、操作が完了される。
【０００９】
傾斜平面内に位置決めフレーム上に配置された斜めの基部を有するわく鋳型を用いることによって、斜めの粉砕を得ることも可能である。
【００１０】
本発明のある発展によれば、各わく鋳型は、遅延作用の膨張剤で充填され得て、その後に、コンクリートがキャストされる前または後で、充填管を用いることなく所定位置に載置される。
【００１１】
他の利点及び特徴が、非制限的な例として与えられ添付の図面に図示された本発明の一実施の形態の以下の記述から、より明瞭に明らかとなる。
【００１２】
図１は、本発明による切除要素の概略断面図である。
【００１３】
図２は、コンクリート内への貫通を容易にする案内手段に結合された、図１の切除要素のわく鋳型を示している。
【００１４】
図３は、コンクリートがキャストされる前に所定位置に載置するための幾つかの切除要素が装着された位置決めフレームの正面図を示している。
【００１５】
図４は、図３の平面図である。
【００１６】
図５は、遅延作用の反応剤で充填するようになっているわく鋳型の図である。
【００１７】
図６は、支持ジグ上に管を固定するための装置を示している。
【００１８】
図７は、図６の別の実施例を示している。
【００１９】
図１を参照して、コンクリート構造取り壊し装置のための切除要素１０は、好適にはプラスチック材料で製造されると共に鉛直管１６によって形成された支持部１４に結合されるように設計されているわく鋳型１２、を備えている。わく鋳型１２は、先細横ケーシング２０に結合されたかなり平坦な閉塞基部１８を有する中空ポケットの形状である。任意の他の回転形状がケーシング２０を実現すべく用いられ得る、ということが明らかである。
【００２０】
基部１８は、キャスティングが行われる時にコンクリートによって発生される圧力を補償すべく、凹部形状であり得る。
【００２１】
ケーシング２０は、基部１８と鋭角を形成し、基部との前記角度は、好適には２５度から６０度の間である。管状口部２２が、管１６の底部端を受容すべく、ケーシング２０の頂部に配置されている。管１６のケーシング２０への固定は、ネジ締めによって、または、任意の組立手段によって、実施される。
【００２２】
第１操作モードによれば、切除要素１０は、コンクリートキャスティング操作が実施された後で、新しいコンクリート２４内に鉛直に挿入される。管１６の長さは、頂端部が突出して例えば化学的または機械的な膨張タイプの破壊剤の挿入のためのアクセス開口２６として作用するように、選択される。
【００２３】
切除要素１０のコンクリート２４内への貫通深さが、正確に破壊領域２８を決定する。取り壊し剤が挿入された後で、膨張効果が所定時間後にプラスチックわく鋳型１２の内側で生じる。その結果の反応力Ｆが、先細ケーシング２０の壁に沿って垂直に分布され、基部１８に平行に延びる半径方向成分Ｆ１と、基部１８に垂直な鉛直方向成分Ｆ２と、を生成する。これは結果として、わく鋳型１２の平坦基部１８を通って延びる平面内でのコンクリートの水平粉砕を導く。それは、切除領域２８を決定する。鉛直方向成分Ｆ２の作用は、切除が実施される時、コンクリートのわずかな持上運動を引き起こす。
【００２４】
図２によれば、切除要素１０の新しいコンクリートへの挿入が、平坦基部１８の外側面に固定された案内手段３０によって容易とされる。案内手段３０は、例えばコンクリートによって製造された円錐によって形成される。その頂部は、下方に向いており、その基端部は、基部１８と接触している。
【００２５】
切除されるべきコンクリート構造物の断面に依存して、複数の切除要素１０が、新しいコンクリート内の所定位置に載置される。これらの要素の挿入は、個々に、あるいは、共通の位置決めフレーム３２上で群分けされて、実施され得る。位置決めフレームによる挿入は、わく鋳型１２のセットの新しいコンクリートへの、同時のすばやい貫通を可能にする。取り壊し剤は、その後、それぞれの管１６の開口２６を介して、わく鋳型１２内に挿入される。取り壊し剤の膨張反応の後で、コンクリートの水平粉砕は、粉砕されたコンクリートブロックの単純な鉛直持ち上げによって切除が実現されることを可能にする。
【００２６】
図３及び図４の別の実施の形態によれば、それぞれの切除要素１０が装着された位置決めフレームが、コンクリート２４がキャストされる前に、所定位置に載置される。位置決めフレーム３２は、予め、管１６の間で角度的に間隔を空けて配置されたスペーサ３６によってパイル（pile）を受容するように突出する補強バーに固定され、当該補強バーに確実に固定されたリング（hoop）３９上に載っている。
【００２７】
補強バー３４は、管１６を同軸に取り囲む鋼鉄のコンクリートバーによって形成されており、スペーサ３６は、位置決めフレーム３２の内側に向かってコンクリートキャスティングパイプ（図示せず）の通過のための内側開口３８を規定するように半径方向に延びている。わく鋳型１２の基部１８の全てが、かなり同じ水平面内に配置されている。
【００２８】
コンクリートがキャストされる後または前で、切除要素１０を所定位置に載置する２つの場合において、膨張剤入口管１６は、切除後に回収されるコンクリートブロックに一体となったままである。
【００２９】
わく鋳型１２の平坦基部１８は、切除領域２８に従ってコンクリートブロックの水平粉砕が得られることを可能にする。破壊平面に対応する所定の角度に傾斜された基部を有するわく鋳型によって、斜めの粉砕が得られ得ることが明らかである。
【００３０】
別の実施の形態では、わく鋳型１２は管１２によって延長されないで、化学的または機械的特性の遅延作用膨張剤で直接的に充填される。図５では、各わく鋳型１１２が、当該目的のために、取り外し可能なカバーによって形成された基部１１８を備えている。そのカバーは、遅延作用膨張剤での充填の後で閉塞される。この場合、噴出口１２２がシールされ、円錐形状または先細形状のケーシング１２０は、図１のそれと同様である。
【００３１】
遅延作用の膨張剤で充填されたわく鋳型１１２は、支持フレームによってコンクリートがキャストされる前に所定位置に載置されるか、あるいは、回収可能なロッドによってキャスティングの後の新しいコンクリート内の所定位置に載置される。
【００３２】
遅延作用の膨張剤は、構造物の大きさ、コンクリートの特性及び周囲の温度に依存して、好適には２日以上の、特定の時間遅れを有することができる。
【００３３】
わく鋳型１２、１１２のプラスチック材料は、他の任意の等価な破壊可能または変形可能な材料、例えばガラスによって置換され得る。
【００３４】
図６において、管１６を支持ジグ２０２上に固定するための装置２００は、管１６が係合されている輪郭支持部２０４に結合された固定クランプ２０３を備えている。輪郭支持部２０４は、クランプ２０３が閉鎖位置にあるか開放位置にあるかに依存して、互いに向かって移動する、あるいは、互いから離れて移動するように設計された、２つの柔軟な枝部を有している。
【００３５】
コンクリートがキャストされた後で、複数の管１６及びわく鋳型１２が装着された支持ジグ２０２が、リング３９の上に載置される。クランプ２０３が緩和位置に作動され、各管１６が独立に底部に下げられる。行程の最後に、クランプ２０３は、管１６を固定するように閉じられる。
【００３６】
切除動作が実施された後、全てのクランプ２０３が開放され、支持ジグ２０２は同じ大きさの別のパイル（pile）を切除するための作業場で再利用され得る。
【００３７】
図７を参照して、管１６を固定するための装置３００が、かなり環状の断面の弾性変形可能クリップ部３０２によって形成されている。
【図面の簡単な説明】
【図１】  図１は、本発明による切除要素の概略断面図である。
【図２】  図２は、コンクリート内への貫通を容易にする案内手段に結合された、図１の切除要素の鋳型を示している。
【図３】  図３は、コンクリートがキャストされる前に所定位置に載置するための幾つかの切除要素が装着された位置決めフレームの正面図を示している。
【図４】  図４は、図３の平面図である。
【図５】  図５は、遅延作動の反応剤で充填するようになっている鋳型の図である。
【図６】  図６は、支持ジグ上に管を固定する装置を示している。
【図７】  図７は、図６の別の実施例を示している。
【図１】
0004118517.tif 000002
【図２】
0004118517.tif 000003
【図３】
0004118517.tif 000004
【図４】
0004118517.tif 000005
【図５】
0004118517.tif 000006
【図６】
0004118517.tif 000007
【図７】
0004118517.tif 000008